(57)【要約】本発明は、飲料容器に用いるディスペンスクロージャー（１０）を関する。このディスペンスクロージャー（１０）は、飲料容器の出口に連結された通路開口（１２６）を備えたクロージャー本体（１００）と、クロージャー部品（２００）と、ディスペンスチューブ（３００）とを含む。締付け部材（２８０）がクロージャー部品（２００）に配置されており、これに対応する支持体（１８０）がクロージャー本体（１００）に配置されている。クロージャー本体（１００）のカバー（１２０）が、ディスペンスチューブ（３００）の出口（１２６）を備えた段階型の支持体（１２４）を含む。ディスペンスチューブ（３００）は、支持体（１２４）に適合している。ディスペンスチューブ（３００）の環状カラーが、チューブホルダー（１２２、１２４）の環状ストッパー面（１３０）に隣接している。この環状カラーの直径は、第２の段（１３４）の環状溝（１３２）内に係合する環状突起（３３２）によって大きくなっている。ディスペンスチューブ（３００）は環状カラー（１２２）を覆っている。クロージャー部品を閉じるときに、ディスペンスチューブ（３００）が締付け部材（２８０）によって曲げられるように、キャップ面（２１０）をチューブホルダー（１２２、１２４）上に配置することができる。【特許請求の範囲】
【請求項１】
自由流動物質を受容する容器、特に飲料容器のためのディスペンスクロージャー（１０）であって、
（ａ）前記容器の出口に固定することができるケーシング（１１０）が外周縁から延びたカバー（１２０）を有するクロージャー本体（１００）と、
（ｂ）前記クロージャー本体（１００）の上面に設けられた、前記容器の出口に連通した通路開口（１２６）と、
（ｃ）前記クロージャー本体（１００）の前記通路開口を閉止する位置と前記クロージャー本体（１００）の前記通路開口を開口する位置との間で移動できる、前記クロージャー本体（１００）に連結されたクロージャー部品（２００）と、
（ｄ）前記クロージャー本体（１００）の前記通路開口（１２６）に受容され、前記クロージャー部品（２００）が前記開口位置から前記閉止位置に移動したときに挟まれて密閉される、前記自由流動物質のための可撓性ディスペンスチューブ（３００）とを含み、
（ｅ）前記クロージャー本体（２００）にピンチ部材（２８０）が設けられており、
（ｆ）対応ホルダー（１８０）が前記クロージャー本体（１００）に設けられており、これにより、前記クロージャー部品（２００）が閉じたときに、前記可撓性ディスペンスチューブ（３００）が前記ピンチ部材（２８０）によって前記対応ホルダー（１８０）に対して押圧され、前記可撓性ディスペンスチューブ（３００）が挟まれて遮断され、密閉されるようになっており、
（ｇ）前記ピンチ部材（２８０）が、前記クロージャー部品（２００）のヘッドプレート（２１０）の下側に配置されており、前記対応ホルダー（１８０）が前記クロージャー本体（１００）の上部に配置されており、
（ｈ）前記クロージャー部品（２００）の前記閉止位置で、そのクロージャー部品（２００）の閉止によって前記可撓性ディスペンスチューブ（３００）が押圧される領域での前記ピンチ部材（２８０）と前記対応ホルダー（１８０）との間の距離が、最大で、締付けよって密閉される前記可撓性ディスペンスチューブの厚みに一致し、前記クロージャー部品（２００）の前記閉止位置で、前記ピンチ部材（２８０）の締付けにより、前記可撓性ディスペンスチューブ（３００）が対応する前記対応ホルダー（１８０）に対して押圧され、密閉されるように前記ピンチ部材（２８０）及び前記対応ホルダー（１８０）が配置されており、
（ｉ）前記クロージャー部品（２００）が、蝶番（２９０）によって前記クロージャー本体（１００）に回動可能に一体的に取り付けられたフラップ式の蓋を成しており、
（ｊ）前記クロージャー本体（１００）の前記カバー（１２０）が、径方向外側の環状肩（１２２）及び径方向内側のドーム状スタブ（１２４）を備えた可撓性チューブホルダーとしてデザインされており、前記ドーム状スタブ（１２４）の直径が、その高さに対して段階的であり、前記ドーム状スタブがその外側端部に、前記可撓性ディスペンスチューブ（３００）の外側長さ部分（３１０）のための出口（１２６）を備えており、
（ｋ）段階的な可撓性チューブホルダー（１２２、１２４）内に配置された前記可撓性ディスペンスチューブ（３００）の長さ部分の内径及び外径が、前記可撓性チューブホルダー（１２２、１２４）の各段の内径に適合しており、
（ｌ）前記出口（１２６）の下側の前記可撓性チューブホルダー（１２２、１２４）の円筒状の拡張によって第１の段（１２８）が形成されており、
（ｍ）前記可撓性チューブホルダー（１２２、１２４）の前記第１の段（１２８）の下端部が、内周環状ストッパー面（１３０）を成し、かつ前記第１の段（１２８）よりも直径が大きい第２の段（１３４）の内側に環状溝（１３２）を画定しており、
（ｎ）前記環状溝（１３２）の下側の前記第２の段（１３４）の拡張が切頭円錐形状であり、その下端部で、前記容器の開口の縁に面した水平に配置された前記環状肩（１２２）と一体になっており、前記環状肩（１２２）の外周縁からは前記クロージャー本体（１００）の固定用の前記ケーシング（１１０）が前記容器に向かって延びており、
（ｏ）前記可撓性ディスペンスチューブ（３００）が、軸方向に段になった前記可撓性チューブホルダー（１２２、１２４）の前記出口（１２６）の下側から所定の距離に拡張された直径を有しており、この拡張部の下端部に環状肩（３３０）を有しており、これにより、前記可撓性ディスペンスチューブ（３００）が前記可撓性チューブホルダー（１２２、１２４）の前記環状ストッパー面（１３０）によって支持されるようになっており、
（ｐ）前記可撓性ディスペンスチューブ（３００）の前記環状肩（３３０）が、前記可撓性チューブホルダー（１２２、１２４）の前記第２の段（１３４）の前記環状溝（１３２）に係合する環状ビード（３３２）によって拡大されており、
（ｑ）前記可撓性ディスペンサチューブ（３００）が、前記カバー（１２０）の前記環状肩（１２２）の内周縁まで延びた円筒状長さ部分（３４０）と、前記カバー（１２０）の前記環状肩（１２２）の下面を実質的に覆う円盤状拡大部（３５０）を有しており、
（ｒ）前記クロージャー部品（２００）が閉じられたときに、前記ピンチ部材（２８０）が、前記対応ホルダー（１８０）を形成する前記可撓性チューブホルダー（１２２、１２４）に適合して、前記可撓性ディスペンスチューブ（３００）が、前記ピンチ部材（２８０）によって前記可撓性チューブホルダー（１２２、１２４）の前記通路開口（１２６）の縁に対して曲げられ、挟まれて遮断され、密閉されるように、前記ピンチ部材（２８０）が前記ヘッドプレート（２１０）の下側に配置されていることを特徴とするディスペンスクロージャー。
【請求項２】
前記クロージャー部品（２００）が、一体型の蝶番（２９０）によって前記クロージャー本体（１００）に回動可能に取り付けられていることを特徴とする請求項１に記載のディスペンスクロージャー。
【請求項３】
前記クロージャー本体（１００）に対して前記クロージャー部品（２００）をラッチ式に閉止位置に固定できることを特徴とする請求項１または請求項２に記載のディスペンスクロージャー。
【請求項４】
前記ピンチ部材（２８０）が実質的に半径が異なる連続した曲線状にデザインされており、前記クロージャー部品（２００）の前記閉止位置では、前記ピンチ部材（２８０）の前記蝶番（２９０）に面した側が、前記可撓性チューブホルダー（１２２、１２４）の前記蝶番（２９０）に面した側に支持され、前記ピンチ部材（２８０）の前記蝶番（２９０）から離れた反対側と前記可撓性チューブホルダーとによって、前記可撓性ディスペンスチューブ（３００）の曲がった自由端（３１０）を受容するための自由空間が形成されるように、前記半径が選択されることを特徴とする請求項１乃至請求項３の何れかに記載のディスペンスクロージャー。
【請求項５】
前記可撓性ディスペンスチューブ（３００）の実質的に円柱状の貫通孔（３６０）が、その内側端部に向かって段階的に大きくなっていて、前記可撓性チューブホルダー（１２２、１２４）の段階的な形状に一致していることを特徴とする請求項１乃至請求項４の何れかに記載のディスペンスクロージャー。
【請求項６】
前記可撓性ディスペンスチューブがシリコーンからなることを特徴とする請求項１乃至請求項５の何れかに記載のディスペンスクロージャー。
【請求項７】
前記クロージャー本体（１００）に、前記可撓性チューブホルダー（１２２、１２４）を少なくとも部分的に覆うスリーブ部材（１５０）が設けられていることを特徴とする請求項１乃至請求項６の何れかに記載のディスペンスクロージャー。
【請求項８】
前記スリーブ部材（１５０）が、軟質材料、特にシリコーンまたはゴムからなることを特徴とする請求項７に記載のディスペンスクロージャー。
【発明の詳細な説明】
【０００１】
本発明は、自由に流動する物質を含む容器、特に飲料容器のディスペンスクロージャーに関する。
【０００２】
このようなディスペンスクロージャーの様々なデザインが従来から知られており、様々な材料、特にガラスやプラスチックから形成された飲料容器に用いられている。
【０００３】
特に近年、このタイプの飲料容器及び別の用途に用いられるディスペンスクロージャーに対する要求が高まっている。特に、屋外でジョギングや自転車に乗るなどのスポーツをする時、または自動車を運転する時に、問題なく容器を持ち運べてディスペンスクロージャーを容易に人間工学的に操作できるようにするために、様々な解決策、様々な材料が試みられてきた。
【０００４】
本発明の目的は、自由に流動する物質を含む容器、特に上記した飲料容器に用いる改良したディスペンスクロージャーを提供することにある。このクロージャーは、操作が簡便で流動物質を問題なく容易に排出することができる一方、たとえ頻繁に用いても信頼性が高く、取り扱いに注意を払う必要がないデザインであり、閉じた状態で容器を長い間密閉することができ、特にプレジャーで飲用に用いる際に弊害がない。
【０００５】
本発明のこの目的は、自由流動物質を受容する容器、特に飲料容器用の本発明のディスペンスクロージャーによって達成することができる。このディスペンスクロージャーは、容器の出口に固定することができるケーシングが外周縁から延びたカバーを有するクロージャー本体と、そのクロージャー本体の上面に設けられた、容器の出口に連通した通路開口と、クロージャー本体の通路開口を閉止する位置とクロージャー本体の通路開口を開口する位置との間で移動できる、クロージャー本体に連結されたクロージャー部品と、クロージャー本体の通路開口に受容され、クロージャー部品が開口位置から閉止位置に移動したときに挟まれて密閉される、自由流動物質のための可撓性ディスペンスチューブとを含み、クロージャー本体にピンチ部材が設けられており、対応ホルダーがクロージャー本体に設けられており、これにより、クロージャー部品が閉じたときに、可撓性ディスペンスチューブがピンチ部材によって対応ホルダーに対して押圧され、可撓性ディスペンスチューブが挟まれて遮断され、密閉されるようになっており、ピンチ部材が、クロージャー部品のヘッドプレートの下側に配置されており、対応ホルダーがクロージャー本体の上部に配置されており、クロージャー部品が閉止位置で、クロージャー部品の閉止によって可撓性ディスペンスチューブが押圧される領域でのピンチ部材と対応ホルダーとの間の距離が、最大で、締付けによって密閉される可撓性ディスペンスチューブの厚みに一致し、クロージャー部品が閉止位置で、ピンチ部材の締付けにより、可撓性ディスペンスチューブが対応する対応ホルダーに対して押圧され、密閉されるようにピンチ部材及び対応ホルダーが配置されており、クロージャー部品が、蝶番によってクロージャー本体に回動可能に一体的に取り付けられたフラップ式の蓋を成しており、クロージャー本体のカバーが、径方向外側の環状肩及び径方向内側のドーム状スタブを備えた可撓性チューブホルダーとしてデザインされており、ドーム状スタブの直径が、その高さに対して段階的であり、ドーム状スタブがその外側端部に、可撓性ディスペンスチューブの外側長さ部分のための出口を備えており、段階的な可撓性チューブホルダー内に配置された可撓性ディスペンスチューブの長さ部分の内径及び外径が、可撓性チューブホルダーの各段の内径に適合しており、出口の下側の可撓性チューブホルダーの円筒状の拡張によって第１の段が形成されており、可撓性チューブホルダーの第１の段の下端部が、内周環状ストッパー面を成し、かつ第１の段よりも直径が大きい第２の段の内側に環状溝を画定しており、環状溝の下側の第２の段の拡張が切頭円錐形状であり、その下端部で、容器の開口の縁に面した水平に配置された環状肩と一体になっており、環状肩の外周縁からはクロージャー本体の固定用ケーシングが容器に向かって延びており、可撓性ディスペンスチューブが、軸方向に段になった可撓性チューブホルダーの出口の下側から所定の距離に拡張された直径を有しており、この拡張部の下端部に環状肩を有しており、これにより、可撓性ディスペンスチューブが可撓性チューブホルダーの環状ストッパー面によって支持されるようになっており、可撓性ディスペンスチューブの環状肩が、可撓性チューブホルダーの第２の段の環状溝に係合する環状ビードによって拡大されており、可撓性ディスペンサチューブが、カバーの環状肩の内周縁まで延びた円筒状長さ部分と、カバーの環状肩の下面を実質的に覆う円盤状拡大部を有しており、クロージャー部品が閉じられたときに、ピンチ部材が、対応ホルダーを形成する可撓性チューブホルダーに適合して、可撓性ディスペンスチューブが、ピンチ部材によって可撓性チューブホルダーの通路開口の縁に対して曲げられ、挟まれて遮断され、密閉されるように、ピンチ部材がヘッドプレートの下側に配置されている。
【０００６】
本発明に従ったディスペンスクロージャーの有利なデザイン、特に、クロージャー本体の流路を通る自由流動物質のための可撓性ディスペンスチューブを設けることにより、容器からの流動物質、特に液体の排出が快適かつ容易であり、例えば、スポーツをしている時、また、たとえスポーツによる振動があった時でも、流動物質を安定確実に出すことができる。
【０００７】
可撓性チューブホルダー、従って容器のクロージャー本体への可撓性ディスペンスチューブの安全かつ確実な取り付けは、特に、一方の可撓性ディスペンスチューブと他方の可撓性チューブホルダーが、本発明に従って互いに適合すると共に、可撓性ディスペンスチューブ、特にその上部の所定の自由度が確保され、これにより、ディスペンスクロージャーの密閉性が損なわれずに操作が容易になるデザインによって可能となる。更に、ディスペンスクロージャーを容易に製造でき、従って低コストであるばかりか、例えば、清掃するためにディスペンスクロージャーの個々の部品を取り外すことができ、技術者でない一般の人も道具を用いず、かつディスペンスクロージャーの機能、特に密閉性を損なわずに繰り返し組み立てできるように、このデザインを構成することができる。
【０００８】
用いる蝶番は、一体型蝶番、特に、「死点蝶番」として知られる一体型蝶番が好ましい。この死点蝶番では、クロージャー部品が一定のオープン角度すなわち死点位置を越えると、クロージャー部品が、死点蝶番による力によってクロージャー本体が開位置に自動的に移動する。この逆も同様である。
【０００９】
特定の好適な実施形態では、ディスペンスクロージャーは、ピンチ部材が実質的に半径が異なる連続した曲線状にデザインされており、クロージャー部品の閉止位置では、ピンチ部材の前記蝶番に面した側が、可撓性チューブホルダーの蝶番に面した側に支持され、ピンチ部材の蝶番から離れた反対側と可撓性チューブホルダーとによって、可撓性ディスペンスチューブの曲がった自由端を受容するための自由空間が形成されるように、ピンチ部材の曲線の半径が選択されるようにデザインされている。
【００１０】
このピンチ部材の有利な構成から、クロージャー部品が閉じる時に、クロージャー本体の通路開口の上に突き出た可撓性ディスペンスチューブが、一方向に常に制御されて曲がるようになっており、クロージャー部品の閉止位置では、クロージャー本体が閉じ、ディスペンスクロージャーが、自由流動物質を含む容器に対する確実な密閉を実現する。
【００１１】
更に、本発明に従ったディスペンスクロージャーの好適な実施形態では、可撓性ディスペンスチューブの実質的に円柱状の貫通孔が、内側端部に向かって段階的に広くなっていて、可撓性チューブホルダーの段階的形状に一致している。この可撓性ディスペンスチューブは、軟質材料、特にシリコーンからなるのが好ましい。
【００１２】
更に、本発明に従ったディスペンスクロージャーは、可撓性チューブホルダーの少なくとも一部を覆うスリーブ部材を追加的に有するのが好ましい。これは、飲んでいる時に利用者に良い感触を与えるため、特に、ディスペンスクロージャーが飲料ボトルに用いられる場合に有利である。このタイプのスリーブ部材は、可撓性ディスペンスチューブに類似した材料、場合によってはやや硬質の材料から形成するのが好ましい。スリーブ部材の好適な材料の例として、本発明を限定することを意図するものでないが、シリコーンやゴムが挙げられる。
【００１３】
本発明に従ったディスペンスクロージャーのこれら及び更なる利点、特徴は、添付の図面からよりよく理解できるであろう。
【００１４】
図１は、自由流動物質（free-flowing substances）を受容する容器に用いるための、本発明に従ったディスペンスクロージャー１０の第１の実施形態の断面図である。ディスペンスクロージャー１０は、クロージャー本体１００と、蓋としてデザインされたクロージャー部品２００を含む。クロージャー本体１００とクロージャー部品２００は蝶番２９０によって一体になるように互いに連結され、クロージャー部品２００が、図１に示されているようにクロージャー本体が開いた位置からクロージャー本体が閉じる位置まで蝶番２９０の軸を中心に１８０度回動できるようになっている。蝶番２９０は、この実施形態では一体型蝶番としてデザインされている。
【００１５】
個々の部品、特にクロージャー本体１００を明確に示すために、図１ではこの実施形態に含まれる可撓性ディスペンスチューブ３００（図２を参照）が省略されている。しかしながら、図１に示されているディスペンスクロージャーの実施形態に用いられる可撓性ディスペンスチューブは、図２に示されている可撓性ディスペンスチューブと同じものである。
【００１６】
クロージャー本体１００はその上部にカバー１２０を備え、その外周縁からは下方にケーシングが延びている。ケーシング１１０は実質的に円筒状のデザインであり、雌ねじ１１２を備えている。この雌ねじ１１２を容器（不図示）の雄ねじに螺合させて、クロージャー本体をその容器に固定することができる。
【００１７】
ねじ込み接続の替わりに、他の手段、例えばスナップ嵌めを用いてクロージャー本体を容器に接続することができる。また、ディスペンスクロージャーを直接、容器と一体に形成することも可能である。
【００１８】
図１に示されている実施形態では、水平ではなくやや傾斜したリング状にデザインされた密閉用リップ１１４が、クロージャー本体１００のカバー１２０の外周部に近接して、ケーシング１１０の上部領域に設けられており、これにより、クロージャー部品１００が容器にねじ込まれると、密閉用リップ１１４が容器の開口の上面を押圧してシールが形成される。
【００１９】
ここに示されている実施形態では、密閉用リップ１１４は、クロージャー本体と一体に形成されているが、ディスペンスクロージャー１０のクロージャー本体１００及びクロージャー部品２００が硬質プラスチックから形成されているのに対し、軟質材料、この場合はシリコーンから形成されている。しかしながら、別の実施形態では、製造工程を単純にするべく密閉用リップ１１４をクロージャー本体１００と同じ材料から形成することができることを理解されたい。
【００２０】
クロージャー本体１００の上部には、実質的に環状の肩１２２を備えたカバー１２０が設けられている。この環状肩から、径方向内向きの中心スタブ１２４が、環状肩の外側に段階型のドーム状に延びている。ドーム状スタブ１２４の直径は、スタブの高さに対して段階的になっている。スタブ１２４は、その外側端部に出口開口１２６を有する。
【００２１】
ドーム状スタブ１２４は、第２の段（下段）１３４の上側に延在する、カバー１２０に対する第１の段（上段）１２８を含む。段１２８及び１３４は、実質的に円筒状であって類似の長さを有するが、第１の段１２８の直径の方が小さい。
【００２２】
第１の段１２８と第２の段１３４の間の移行部及び第２の段と外面上の環状肩１２２との移行部は曲線的であって尖った縁が存在しない。
【００２３】
第１の段１２８の上部には、径方向内向きに傾斜した末端リム１３６が存在する。末端リム１３６の上部は実質的に水平である。この末端リム１３６は、通路開口１２６の内径が可撓性ディスペンスチューブ（図２を参照）の上部の外径と一致するように通路開口１２６を囲んでいる。
【００２４】
カバー１２０のドーム状スタブ１２４の内部領域は、内径が段階的になっている。ドーム状スタブ１２４で最も内径が小さい通路開口１２６の内径の下側では、ドーム状スタブ１２４の内径が、下方すなわち内側、つまり容器に向かって大きくなっている。末端リム１３６の直下で第１の内径に拡張した後、内部領域は、第１の段の軸の全長に亘って実質的に円筒状に延び、概ね第１の段１２８と第２の段１３４との移行部の高さで更に広がっている。
【００２５】
可撓性チューブホルダー１８０の内部領域において、第１の段１２８の下端部が環状のストッパー面１３０を形成すると共に、第２の段１３４の上部領域に環状溝１３２を画定している。環状溝１３２の下側の第２の段１３４の内部領域は切頭円錐形状を有し、下方に向かって広がっており、その下端部で、水平に配置されたカバー１２０の環状肩１２２の下側と一体になっている。
【００２６】
更に、図１に示されている実施形態では、シリコーンからなるスリーブ部材１５０が、カバー１２０のドーム状スタブ１２４の実質的に全ての外側領域に亘って、その外形に沿って延在している。
【００２７】
クロージャー部品２００は、実質的に蓋の形にデザインされており、ヘッドプレート２１０とそのヘッドプレートから延びた側部領域２２０を含む。この側部領域２２０は、クロージャー部品２００が閉じた位置でクロージャー本体１００のケーシング１１０と実質的に同一平面上に延在するようにデザインされている。
【００２８】
更に、クロージャー部品２００は、蝶番２９０の反対側に品質保証部品１６０を受容するための溝２６０を有する。この溝２６０（図１に示されているクロージャー部品２００の位置では下側、従って閉じた位置では上側に位置する）は内側に向かって凹状であり、その凹部内に品質保証部材１６０を押込んで開封することができるようになっている。品質保証部材１６０のための溝２６０は、その上下の領域でラグ２６２と突起２６４によって画定されている。
【００２９】
クロージャー部品２００のヘッドプレート２１０の内側にピンチ部材２８０が設けられている。ピンチ部材２８０は、実質的に所定の曲線の形にデザインされているが、様々な半径を有している。ピンチ部材２８０の機能及び詳細な構造は、特に図３及び図４を用いた後述の説明から明らかになるであろう。
【００３０】
図２を参照すると、第１の実施形態に極めて類似した、本発明に従ったディスペンスクロージャーの第２の実施形態が示されている。従って、同一及び類似の構成要素には図１と同一の参照符号を付した。詳細な説明については、前記した図１の説明を参照されたい。
【００３１】
図１に例示されている実施形態との比較から分かるように、クロージャー本体１００のケーシング１１０が図１の実施形態よりも短く、容器の開口部をそれ程過ぎて延在しない。
【００３２】
カバー１２０のドーム状スタブ１２４は、そのドーム状突出部１２４をカバーするためのスリーブ部材１５０（図１）を含まない点を除けば、図１に示されている第１の実施形態と同一である。
【００３３】
図２に示されている実施形態では、可撓性ディスペンスチューブ３００は、カバー１２０、環状肩１２２、及びドーム状スタブ１２４からなる可撓性チューブホルダー内に適合する。これに関連して、同一の可撓性ディスペンスチューブ３００を、図１に示されている実施形態にも用いることができることに再び留意されたい。
【００３４】
シリコーンからなる可撓性ディスペンスチューブ３００は、カバー１２０の内側の形状に一致しており、同様にその高さに対して直径が段階的になっている。可撓性ディスペンスチューブ３００は実質的に、第１の長さ部分すなわち外側長さ部分３１０、第２の長さ部分３２０、及び第３の長さ部分３４０の３つセグメントを含む。第１の長さ部分３１０の直径は、第２の長さ部分３２０の直径よりも小さく、その第２の長さ部分３２０の直径は、第３の長さ部分３４０の直径よりも小さい。
【００３５】
第１の長さ部分すなわち外側長さ部分３１０と第２の長さ部分３２０の間には、傾斜した切頭円錐型移行部３１２が存在する。この移行部３１２はその下端部に、第２の長さ部分の真上に位置する突出ビード３１４を有する。ビード３１４の外径は、カバー１２０の第１の段１２８（図１）の内径に一致している。ビード３１４の外径はまた、ビード３１４の圧迫によって密閉性が高められるように、第１の段１２８（図１）の内径よりも僅かに大きくすることもできる。
【００３６】
第２の長さ部分３２０の外径が、カバー１２０の第１の段１２８（図１）の内径よりも僅かに小さいため、可撓性ディスペンスチューブ３００の可撓性を高めることができ、ビード３１４が、密閉機能と、可撓性ディスペンスチューブ３００を可撓性チューブホルダー１２２及び１２４内に導入するためのガイド機能の両方を果たす。
【００３７】
第２の長さ部分３２０と第３の長さ部分３４０の間には、環状ビード３３２を備えた環状肩３３０が存在する。この環状ビード３３２が、ドーム状スタブ１２４の環状溝１３２に係合し、これにより、可撓性ディスペンスチューブ３００を可撓性チューブホルダー１２２及び１２４内に確実に固定することができる。
【００３８】
環状ビード３３２の下側の第３の長さ部分３４０は実質的に円筒状に下方に延び、その外径は環状ビード１３２の外径よりも僅かに小さい。その下端部は、カバー１２０の環状肩１２２の下面に係合する円盤状拡張部３５０と一体になっている。これにより、可撓性ディスペンスチューブ３００をクロージャー本体１００内に正確に配置、固定、及び密閉することができる。
【００３９】
クロージャー部品２００は、図１に示されているクロージャー部品２００と実質的に同一であるが、追加的に細長い位置合わせ部４９０を有する。この位置合わせ部４９０は、クロージャー部品２００の側部領域２２０の内側に設けられている。閉止の最後及びクロージャー部品２００の閉止位置では、この位置合わせ部４９０が、突出部の形態でクロージャー本体１００に配置された対応する位置合わせ部１９０（図４）と相互作用し、これにより、閉止する際に、クロージャー部材２００をクロージャー本体１００に容易に、確実かつ正確に配置することができる。
【００４０】
図３に、本発明に従ったディスペンスクロージャーの第３の実施形態が示されている。この実施形態のクロージャー本体１００及びクロージャー部品２００は、図２に示されている実施形態と同一のものであり、可撓性ディスペンスチューブ３００のみが、図２に示されている可撓性ディスペンスチューブ３００とやや異なっている。従って、図３のより詳細な記載及び説明については、前記した図１及び図２の説明を参照されたい。この場合も、同一または類似の構成要素には同一の参照番号を付した。
【００４１】
図３に示されている実施形態では、クロージャー部品２００が閉止位置にある。可撓性ディスペンスチューブ３００の外側長さ部分３１０が、実質的に閉じる方向、すなわち一体型蝶番２９０から遠ざかる方向（図３の左側下方）に、ドーム状突出部１２４の周りに、特に末端リム１３６の周りに曲げられているのが分かるであろう。従って、可撓性ディスペンスチューブ３００は、その一側がピンチ部材２８０、他側が特にドーム状スタブ１２４の第１の段１２８によって保持及び押圧され、この位置で、可撓性ディスペンスチューブ３００の外側長さ部分３１０が密閉されている。従って、第１の段１２８と、特に第１の段１２８と第２の段１３４との間の移行領域が、ピンチ部材２８０の対応部材１８０としての役割を果たす。図３に示されているように、ドーム状スタブ１２８の第１の段１２８と第２の段１３４との間の移行領域は、可撓性ディスペンスチューブ３００に損傷を与えるような強い捩れを生じさせることなく、その外側部分３１０を曲げることができるようにデザインされている。
【００４２】
ピンチ部材２８０及びドーム状スタブ１２４は、可撓性ディスペンスチューブ３００の外側長さ部分３１０が横たわる、図３に示されているクロージャー部品２００の閉止位置で、最大で、挟まれ密閉された可撓性ディスペンスチューブの厚みに相当する距離、この場合は可撓性ディスペンスチューブ３００の外側部分３１０の壁部の厚みの２倍よりもやや小さい距離が、ドーム状突出部１２４の第１の段と反対側のピンチ部材２８０の対応領域との間に径方向に維持され、これにより可撓性ディスペンスチューブ３００の壁部が圧迫されて確実に密閉されるようにデザインされている。
【００４３】
更に、蝶番２９０に面するピンチ部材２８０の領域、すなわち図３の右側領域はドーム状スタブ１２４まで延びていて、第１の段１２８の外側領域に密着して支持される。この結果、特に正確な位置合わせを行うことができ、密閉効果と安定効果が得られる。
【００４４】
図３に示されている可撓性ディスペンスチューブ３００は、図２に示されている可撓性ディスペンスチューブ３００とは異なり、環状ビード３１４を有しておらず、ドーム状スタブ１２４の第１の段１２８の内部領域内で実質的に自由に延在することができる。また、可撓性ディスペンスチューブ３００は、外側長さ部分３１０と第２の長さ部分３２０との間の移行領域を有していない。第２の長さ部分３２０は、第１の長さ部分３１０と直接接続され、傾斜した肩３３０まで実質的に切頭円錐状に延びている。これにより、可撓性ディスペンスチューブ３００の可撓性が高められている。
【００４５】
加えて、この場合はシーリングリングの形態である密閉部材３７０が、可撓性ディスペンスチューブ３００、具体的には円盤状拡張部３５０の下側に設けられている。更に、略式に示されているダイヤフラム３８０が設けられている。密閉部材３７０は本発明の一部をなすものではなく、例えば、用いる製品によってオプションで用いても用いなくてもよい。
【００４６】
図４は、ピンチ部材２８０の形状を例示する、本発明に従ったディスペンスクロージャー１０の実施形態の平面図である。ピンチ部材２８０は、蝶番２９０に面した約９０度の角度領域２８２で半径が小さく、図３を用いて説明したいようにクロージャー部品２００の閉止位置で、クロージャー本体１００のドーム状スタブ１２４に直接支持され、一方、蝶番から離れた残りの約２７０度の角度領域２８４で半径が大きく、クロージャー部品２００の閉止位置で、可撓性ディスペンスチューブ３００の外側長さ部分３１０（図３）が、この領域２８４とドーム状スタブ１２４との間に挟まれて密閉されるように、実質的に曲線状にデザインされている。
【００４７】
もちろん、角度領域２８２と角度領域２９４の割合を変えて、例えば、蝶番２９０から離れた角度領域２８４の大きさを小さくすることができる。
【００４８】
更に、図４は、クロージャー部品２００上に設けられた位置合わせ部４９０とクロージャー本体１００上に設けられた対応する位置合わせ部１９０を示している。これら両位置合わせ部は、クロージャー部品２００が閉止されるときに互いに係合するため、クロージャー部品２００のクロージャー本体１００への配置が助けられる。加えて、更なる位置合わせ部４９０’及び更なる対応する位置合わせ部１９０’がそれぞれ、図４に示されているように、クロージャー部品２００及びクロージャー本体１００の外周部に実質的に互いに対向するように設けられている。
【００４９】
上記説明で開示した特徴、特許請求の範囲、及び添付の図面は、本発明の様々な構成を実現するために、個々として、また任意の組み合わせとして重要なものである。
【００５０】
参照符号
１０    ディスペンスクロージャー
１００    クロージャー本体
１１０    ケーシング
１１２    雌ねじ
１１４    密閉用リップ
１２０    カバー
１２２    環状肩
１２４    ドーム状スタブ
１２６    通路開口
１２８    第１の段
１３０    環状ストッパー面
１３２    環状溝
１３４    第２の段
１３６    末端リム
１５０    スリーブ部材
１６０    品質保証部品
１８０    チューブホルダー
１９０、１９０’    位置合わせ部
２００    クロージャー部品
２１０    ヘッドプレート
２２０    側部領域
２６０    溝
２６２    ラグ
２６４    突起
２８０    ピンチ部材
２８２    蝶番に面したピンチ部材の領域
２８４    蝶番から離れたピンチ部材の領域
２９０    蝶番
３００    可撓性ディスペンスチューブ
３１０    外側長さ部分
３１２    移行部
３１４    環状ビード
３２０    第２の長さ部分
３３０    環状肩
３３２    環状ビード
３４０    第３の長さ部分
３５０    円盤状拡張部
３６０    貫通孔
３７０    密閉部材
３８０    ダイヤフラム
４９０、４９０’    位置合わせ部
【図面の簡単な説明】
【００５１】
【図１】クロージャー部品が開いた状態の、本発明に従ったディスペンスクロージャー（可撓性ディスペンスチューブは不図示）の第１の実施形態を例示する断面図である。
【図２】クロージャー部品が開いた状態の、本発明に従ったディスペンスクロージャーの第２の実施形態を例示する断面図である。
【図３】クロージャー部品が閉じた状態の、図２に示されている本発明に従ったディスペンスクロージャーの実施形態を例示する断面図である。
【図４】クロージャー部品が開いた状態の、図２に示されているディスペンスクロージャーの平面図である。
【国際公開パンフレット】
2005503295.tif 000002
2005503295.tif 000003
2005503295.tif 000004
2005503295.tif 000005
2005503295.tif 000006
2005503295.tif 000007
2005503295.tif 000008
2005503295.tif 000009
2005503295.tif 000010
2005503295.tif 000011
2005503295.tif 000012
2005503295.tif 000013
2005503295.tif 000014
2005503295.tif 000015
2005503295.tif 000016
2005503295.tif 000017
2005503295.tif 000018
2005503295.tif 000019
2005503295.tif 000020
2005503295.tif 000021
2005503295.tif 000022
2005503295.tif 000023
2005503295.tif 000024
2005503295.tif 000025
2005503295.tif 000026
2005503295.tif 000027
【国際調査報告】
2005503295.tif 000028
2005503295.tif 000029
2005503295.tif 000030
2005503295.tif 000031
2005503295.tif 000032
2005503295.tif 000033